【手続補正書】
【提出日】平成16年2月4日(2004.2.4)
【手続補正１】
【補正対象書類名】明細書
【補正対象項目名】全文
【補正方法】変更
【補正の内容】
【発明の名称】電気掃除機
【特許請求の範囲】
【請求項１】被掃除面に対面する開口部を有する吸口体と、該吸口体内に配設された電動送風機と集塵室とを有し、前記集塵室と前記電動送風機の間にフィルタを備えた電気掃除機において、
前記フィルタを山折り状にしたことを特徴とする電気掃除機。
【請求項２】請求項1において、
前記集塵室に塵埃が流入する入口開口部と、塵埃が流出する出口開口部とを設け、
前記フィルタの山折りの折れ線方向を前記入口開口部と前記出口開口部とを結ぶ流路方向と同方向になるように配設したことを特徴とする電気掃除機。
【請求項３】請求項２において、
前記フィルタの山折りの折れ線方向は、前記入口開口部の中心と前記出口開口部の中心とを結ぶ中心線に対し、±４５°の範囲に設定したことを特徴とする電気掃除機。
【請求項４】電動送風機と集塵室とを有する掃除機本体と、被掃除面に対面して設けられた開口部と、前記集塵室に延長管を介して前記掃除機本体に連通する吸口体と、前記吸口体側には電動送風機および集塵室が設けられ、前記吸口体側を前記掃除機本体から切り離し使用可能な電気掃除機において、
前記吸口体に設けられた集塵室に塵埃が流出する出口開口部を設け、この出口開口部面積に比べ、前記吸口体に設けられた集塵室から塵埃が流出する出口開口部に連通する前記吸口体の開口部断面積を大きくしたことを特徴とする電気掃除機。
【請求項５】請求項４において、
吸口体側の集塵室内の塵埃が流出する出口開口部近傍の前記集塵室内に、前記開口部に向けて傾斜したリブを設けたことを特徴とする電気掃除機。
【請求項６】請求項４において、
吸口体側の集塵室に設けた塵埃が流出する出口開口部に、前記集塵室の外向きに開く弁体を設け、この弁体が折り曲げて取り付けられたことを特徴とする電気掃除機。
【請求項７】被掃除面に対面する開口部を有する吸口体と、該吸口体内に配設された電動送風機と集塵室とを有し、前記集塵室と前記電動送風機の間にフィルタを備えた電気掃除機において、
前記フィルタを山折り状にするとともに、このフィルタの山高さ方向の外周部を枠で覆ったことを特徴とする電気掃除機。
【発明の詳細な説明】
【０００１】
【発明の属する技術分野】
本発明は、電気掃除機に係り、特に電動送風機で発生した空気の流れを利用して集塵室に塵埃を集めて掃除を行う電気掃除機に関する。
【０００２】
【従来の技術】
従来、スティック型と呼ばれる電気掃除機として、特開２０００−２１７７５７号公報に記載された構成のものが知られている。すなわち、吸口ベースに起立させた隔壁によって区画された前側部分に吸口カバーによって開閉可能に覆われるブラシ室を形成して回転ブラシを収容している。そして、後側部分に集塵部と電動送風機を横方向に並べて取り付け、側面に吸い込み口を開口させたカップ状の集塵ボックスは、集塵部受け部を支えにして横倒し形態に着脱自在とし、吸い込み通路の後端に吸い込み口を密に連通させる構成である。また集塵フィルタは、集塵ボックス内に偏心状態に収容する構成である。
【０００３】
また、特開平９−１９２０５６号公報、特開平９−１９２０５９号公報、特開平９−１９２０６２号公報がある。これらは、車輪を備えた床上走行ヘッドと、このヘッドに回動自在に連結された細長いハンドルとを有しており、ヘッドは２つのモーターを有し、モーターの一方は羽根車に他方は回転ブラシに連結されている。ヘッドはモーターに電気を供給するための再充電可能なバッテリーと３位置電気スイッチとを有していて、空気ろ過器とほこりごみ収集カップとを含む真空掃除機の作業要素の全てが床上走行ヘッドの中にあり、ハンドルは作業要素を全く有していない電気掃除機が提案されている。
【０００４】
さらに、特公平７−５３１４２号公報には、集塵室と電動送風機を有する掃除機本体と、この掃除機本体にホース及び延長管を介して接続される吸口体とを有する電気掃除機において、吸口体側にも集塵室と電動送風機を設けた電気掃除機が提案されている。そして、この電気掃除機では、掃除機本体と吸口体とを接続して使用する床移動タイプの掃除機の他に、掃除機本体に接続されている吸口体を外し、吸口体側の電動送風機を駆動して吸口体側の集塵室に集塵するスティックタイプの掃除機としても使用可能となっている。
【０００５】
【発明が解決しようとする課題】
このような小形の電気掃除機は、小形に構成しなければならないことから、集塵室を小形化する必要があり、集塵フィルタの面積も小さくなる。従って、集塵室を小形でかつ、内部に塵埃を効率的に蓄積させ、集塵フィルタの塵埃による目詰まりを防ぐ事が望ましい。しかも、通風路は通風抵抗も小さいことが望ましい。
【０００６】
また、上記特公平７−５３１４２号公報に記載のものにおいては、床移動タイプの掃除機とスティック型の掃除機との二通りの使用形態を提供するものであるが、スティック型の掃除機として使用したときに集塵した吸口体内の集塵室のゴミは、常に集塵室を覆う蓋等を開閉して捨てなければならず、煩わしいといった問題があった。特に最近の電気掃除機の吸口体は、操作性を向上させることから小形軽量化が進んでおり、吸口体内の集塵室を大きくすることが出来ず、そのため集塵室が直ぐに満杯となり、ゴミ捨ての回数が多くなるものである。
【０００７】
本発明の目的は、小形の電気掃除機において集塵室を小型に構成し、しかも、集塵室内に塵埃を効果的に蓄積させ、集塵フィルタの塵埃による目詰まりを防ぐことにより、使い勝手のよい小形の掃除機を提供することにある。
【０００８】
【課題を解決するための手段】
上記目的を達成するために本発明の特徴とするところは、被掃除面に対面する開口部を有する吸口体と、該吸口体内に配設された電動送風機と集塵室とを有し、前記集塵室と前記電動送風機の間にフィルタを備えた電気掃除機において、前記フィルタを山折り状にしたことにある。
【０００９】
また、本発明の特徴とするところは、前記第１の手段において、前記集塵室に塵埃が流入する入口開口部と、塵埃が流出する出口開口部とを設け、前記フィルタの山折りの折れ線方向を前記入口開口部と前記出口開口部とを結ぶ流路方向と同方向になるように配設したことにある。
【００１０】
さらに本発明の特徴とするところは、前記第２の手段において、前記フィルタの山折りの折れ線方向は、前記入口開口部の中心と前記出口開口部の中心とを結ぶ中心線に対し、±４５°の範囲に設定したことにある。
また本発明の特徴とするところは、集塵室に塵埃が流出する出口開口部を設け、この出口開口部面積に比べ、前記吸口体に設けられた集塵室から塵埃が流出する出口開口部に連通する前記吸口体の開口部断面積を大きくしたことにある。
【００１１】
さらに本発明の特徴とするところは、吸口体側の集塵室内の塵埃が流出する出口開口部近傍の前記集塵室内に、前記開口部に向けて傾斜したリブを設けたことにある。
【００１２】
【発明の実施の形態】
以下本発明実施の形態について、図面を参照して説明する。まず、図５を用いて、本発明の実施形態における床移動型の電気掃除機を説明する。図５は本発明の実施形態の一例に係る床移動型の電気掃除機の外観斜視図である。
【００１３】
図５において、１０１は掃除機本体であり、内部に集塵室１１１と電動送風機１１２と図示しない電源コードを巻き取るコードリールが内蔵されている。掃除機本体１０１には集塵室１１１と連通するようにホース１０２の一端が接続されている。１０３は手元操作部であり、一端がホース１０２の他端と接続されている。手元操作部１０３には掃除機の運転を切り替える手元スイッチ１０４が設けられている。１０８は無線信号発信部であり、手元スイッチ１０４の操作に応じて運転信号を掃除機本体１０１の無線信号受信部１０９（第１の無線信号受信部）に送信する。１０５は延長管であり、一端が手元操作部１０３の他端と接続されている。この延長管１０５は複数本（本実施の形態では２本）接続された状態で構成されており、被掃除面側の延長管には充電可能な二次電池を着脱自在に設けている。１０６は吸口体であり、延長管１０５の他端と接続されている。１０６ａは吸口体１０６の吸口開口の上部を覆う吸口カバーである。１１０は吸口体１０６に設けた無線信号受信部（第２の無線信号受信部）であり、手元スイッチ１０４の操作に応じて無線信号発信部１０８から送信された信号を受信する。
（第１の実施形態）
次に、図１及び図２を用いて本発明の第１の実施形態を説明する。図１は本発明の実施形態の一例に係る吸口体１０６の上ケースおよび吸口カバー１０６ａを取り除いた状態の上面図である。図２は本発明の実施形態の一例に係るスティック型掃除機の外観斜視図である。
【００１４】
スティック型掃除機は、大きく分けて吸口体１０６と延長管１０５と、吸口体１０６を操作する手元操作部１０３から構成されている。本実施形態では、手元操作部１０３は延長管１０５と別体に構成され、延長管１０５から自由に切り離したりあるいは接続したりすることができる。２０７は吸口体１０６から脱着可能な集塵室である。この集塵室は、集塵した塵埃の量が直接目視できるように透明又は半透明な部材で形成されている。また、集塵室２０７は、その一部分を開閉又は取り外し可能にして、集塵した塵埃を除去するようにしても良い。
【００１５】
図１において、２０１は回転清掃体，２０２は回転清掃体２０１を駆動するための電動機，２０３は回路基板，２０４は駆動ベルト、２２０は電動送風機で、送風機２０６と該送風機２０６を駆動する電動機２０５から構成されている。２０７は吸口体１０６から脱着可能な集塵室、２０８はフィルタである。ここで、塵埃を含んだ空気は、ブラシ室２２２から集塵室２０７に流入し、該集塵室２０７内で塵埃と空気に分離される。
【００１６】
本実施例では図１に示すように、吸口体１０６内に電動送風機２２０が配置されている。電動送風機２２０は、被掃除面に対面する開口部２２１の長手方向に対し、前記電動送風機２２０の回転軸２２３が平行になるように配置され、前記集塵室２０７から前記電動送風機２２０に連通する空気通路２２４を設けている。空気通路２２４の入口の中心２２４ａを、前記開口部２２１の長手方向に平行な集塵室の中心軸２０７ａよりも、ブラシ室２２２側に位置するように配置したことに特徴がある。
【００１７】
本発明は上記構成のため、空気はブラシ室２２２から集塵室２０７、フィルタ２０８、空気通路２２４の順に急転向して流れる（図の矢印Ａ）。これに対して、塵埃は空気より密度が大きいため、空気のように急転向できない。したがって、前記集塵室２０７に流入した際の慣性力により、前記集塵室２０７の反ブラシ室側へ流れ（図の矢印Ｂ）、前記集塵室２０７の反ブラシ室側から順に塵埃が蓄積されていく。したがって、塵埃が集塵室２０７に蓄積されていく際に、前記電動送風機２２０に連通する空気通路２２４は塵埃の目詰まりによる通風抵抗の増加を防止することができる。また塵埃によるフィルタの目詰まりを防止することができる。空気通路２２４の入口の中心２２４ａが、集塵室の中心軸２０７ａよりも、ブラシ室２２２側に位置することによって塵埃の蓄積容積を大きくとることができる。
【００１８】
したがって、効果的に塵埃の蓄積ができ、集塵室２０７を小形化することができる特徴がある。また、通風抵抗の増加を防げるので、集塵室２０７に塵埃が溜まった状態でも電動送風機２２０の風の流通が確保され、高集塵化が図れることになる。
【００１９】
ここで、前記集塵室２０７から前記電動送風機２２０に連通する空気通路２２４の入口側２２４ｂを出口側２２４ｃに比べブラシ室２２２側に配置しても同様に集塵室の効率化をはかることができる。
【００２０】
さらに、前記電動送風機２２０の回転軸２２３と直行する前記集塵室２０７の入り口中心軸（２０７ｂ）に比べ、集塵室２０７の入口開口部２５３ａの中心軸（２０７ｃ）を反電動送風機側（空気通路の反入口側）にシフトして配置すると、塵埃が集塵室２０７に蓄積していく際に、前記電動送風機２２０に連通する空気通路２２４は塵埃の目詰まりによる通風抵抗の増加を防げること、あるいは少なくとも軽減することができる。
【００２１】
なお、前記２０７集塵室は吸口体１０６から脱着可能に構成しており、前記集塵室２０７からフィルタ２０８を取り外して、前記集塵室２０７から塵埃を容易に捨てる事ができる。
（第２の実施形態）
次に、本発明の第２の実施形態ついて図３を用いて説明する。図３は前記図１の他の実施例に該当し、吸口体１０６の上ケースおよび吸口カバーを取り除いた状態の上面図である。図３に示すように、吸口体１０６内に、電動送風機２２０は、被掃除面に対面する開口部２２１の長手方向に対し前記電動送風機２２０の回転軸２２３が平行に配置されており、集塵室２０７から前記電動送風機２２３に連通する空気通路２２４の入口側へと続くように、整流板２４０を前記集塵室内２０７へ突出させた例を示している。
【００２２】
この場合は、上記構成のため、ブラシ室２２２から集塵室２０７、フィルタ２０８、空気通路２２４の順に急転向して空気が流れる（図の矢印Ａ）のに対し、塵埃は空気より密度が大きく空気のように急転向できず、前記集塵室２０７に流入した際の慣性力により、前記集塵室２０７の反ブラシ室側へ流れる（図の矢印Ｂ）。そして、前記集塵室２０７の反ブラシ室側から順に塵埃が蓄積する。この際、反ブラシ側等で発生する２次流れにより蓄積した塵埃が舞い上げられ、前記空気通路２２４に流入するのを整流板２４０により防いでいる。
【００２３】
したがって、塵埃が集塵室２０７に蓄積していく際に、前記電動送風機２２０に連通する空気通路２２４は塵埃の目詰まりによる通風抵抗の増加を軽減することができる。その結果、小形の集塵室２０７でも効果的に塵埃を蓄積することができ、かつ通風抵抗の増加を防ぐこと、あるいは少なくとも軽減することができるので、集塵室２０７に塵埃が溜まった状態でも電動送風機２２０の風量が確保され、高集塵化が図れる。
【００２４】
なお、空気通路２２４の入口側を前記集塵室内２０７へ突出させたものにフィルタ２０８を配置しても良い。さらに、前記電動送風機２２０の回転軸２２３と直行する前記集塵室２０７の中心軸に比べ、集塵室２０７の入口開口部２５３ａを反電動送風機側に配置すると、塵埃が集塵室２０７に蓄積していく際に、前記電動送風機２２０に連通する空気通路２２４は塵埃の目詰まりによる通風抵抗の増加を防ぐこと、あるいは少なくとも軽減することができる。
【００２５】
なお、前記集塵室２０７は吸口体１０６から脱着可能に構成していて、前記集塵室２０７からフィルタ２０８を取り外して、前記集塵室２０７から塵埃を容易に捨てることができる。
【００２６】
また、図４の（Ａ），（Ｂ）に前記整流板２４０の取り付けの変形例を示す。図４の（Ａ）は整流板２４０を、空気通路２２４を延長した形で取り付けた場合である（ｂ１＝ｂ２）。整流板を別体に作成して取り付けてもよいが、この場合は、空気流路と一体に作成することもできる。また、図４の（Ｂ）の場合は図３の場合の変形例であって、整流板を直角に集塵室に突出している長さを、ｂ１＞ｂ２にしたことに特徴がある。この場合は、図３における空気の流れＡに対して、なるべく抵抗を小さくする構成にしている。また、反吸口部の集塵部からの塵埃が空気通路に流入する側は抵抗を大きくしている。これによって、空気の抵抗を低減し、塵埃に対する空気流路への流入抵抗を大きくすることができる。図４の（Ａ）においても、ｂ１＞ｂ２とすることによって、図４の（Ｂ）の場合と同様の効果が期待できる。
（第３の実施形態）
次に、本発明の第３の実施形態ついて説明する。図５は、本発明の他の実施形態例に係る電気掃除機の外観図である。図５において、１０１は電気掃除機本体、１０２はホース体、１０３はハンドルグリップ、１０４は手元スイッチ、１０５は延長管、１０６は被掃除面に対面する開口部を有する吸口体、１０７は再充電可能な電池、１０８は無線信号発信部、１０９は無線信号受信部、１１０は吸口体側の無線信号受信部である。電気掃除機本体の外郭を形成する本体ケーシングの内側には、吸引力を発生する電動送風機１１２と、この電動送風機１１２の吸引側には集塵室１１１が設けられている。
【００２７】
図５に示すように、電動送風機１１２と集塵室１１１とを有する掃除機本体１０１と、被掃除面に対面する開口部を有して前記集塵室１１１に連通する吸口体１０６とを備え、吸口体１０６側にも電動送風機２２０および集塵室２０７を設け、前記吸口体１０６側を、前記掃除機本体１０１から切り離して使用することが可能な電気掃除機である。
【００２８】
本実施形態では、掃除機本体１０１と吸口体１０６とを備えた電気掃除機において、以下のように構成されている。掃除機本体１０１側に第１の電動送風機１１２と集塵室１１１とを設ける。吸口体１０６側に第２の電動送風機２２０、および集塵室２０７を設ける。そして吸口体１０６側を掃除機本体１０１側から切り離して独立して使用できるようにする。また吸口体１０６側を掃除機本体１０１側に接続して使用する場合は、吸口体１０６側の集塵室２０７と掃除機本体側の集塵室１１１とが塵埃の搬送が可能な空気通路（延長管１０５、ホース体１０２）で接続されるようにし、掃除機本体１０１側に設けた電動送風機１１２で吸口体１０６側の集塵室２０７から掃除機本体１０１側の集塵室１１１へ塵埃を搬送できるように構成している。
【００２９】
前記吸口体１０６に備えた集塵室２０７を図６に示す。図６において、前記集塵室２０７のブラシ室２２２側の壁２５１と該壁と対向する壁２５２にそれぞれ入口開口部２５３ａ、出口開口部２５３ｂを設け、前記ブラシ室２２２側に設けた入口開口部２５３ａを、この入口開口部２５３ａに対向する出口開口部２５３ｂに比べて、床面側に設けている。図では、Ｃの距離とＤの距離を比べた場合Ｃの方が小さい（Ｃ＜Ｄ）。
【００３０】
本発明は上記構成のため、吸口体１０６側を掃除機本体１０１側から切り離して独立して使用した場合、吸口体１０６に設けた電動送風機２２０は、小形かつ充電可能な電池１０７により駆動されるので、大きな風量や静圧を出すことができない。そこで、前記ブラシ室２２２側に設けた入口開口部２５３ａは、床面から近い距離に配置することで、低風量時でも床面から吸い上げた塵埃を前記集塵室２０７へと搬送させることができる。
【００３１】
これに対し、吸口体１０６側を掃除機本体１０１側に接続して使用する場合は、前記掃除機本体１０１に設けた電動送風機１１２は、商用の交流電源を用いて駆動させることができるので、高風量、高圧力化を図ることができる。このため、吸口体１０６側を掃除機本体１０１側に接続して使用する場合、入口開口部２５３ａに対抗する出口開口部２５３ｂ側を吸口体１０６側の集塵室２０７と掃除機本体側の集塵室１１１とが塵埃の搬送が可能な空気通路（延長管１０５、ホース体１０２）側に設ければ、前記吸口体１０６側の集塵室２０７に堆積した塵埃を掃除機本体１０１側の集塵室１１１まで搬送することができる。
【００３２】
なお、前記集塵室２０７のブラシ室２２２側の入口開口部２５３ａには、前記集塵室２０７の内向きに開く第１の弁体２０９ａを、前記出口開口部２５３ｂには、集塵室２０７の外向きに開く弁体２０９ｂを設けると、前記集塵室２０７から塵埃がこぼれにくく、かつ吸口体１０６側を掃除機本体１０１側に接続して使用する場合に、吸口体１０６側の前記集塵室２０７から、掃除機本体１０１側の集塵室１１１側へ塵埃を搬送することができる。
【００３３】
さらに、前記電動送風機２２０の回転軸２２３と直交する前記集塵室２０７の中心軸に比べ、集塵室２０７の入口開口部２５３ａを反電動送風機側に配置すると、塵埃が集塵室２０７に蓄積していく際に、前記電動送風機２２０に連通する空気通路２２４は塵埃の目詰まりによる通風抵抗の増加が防げる。
【００３４】
また、フィルタ２０８を前記集塵室２０７の入口開口部２５３ａと出口開口部２５３ｂを結ぶ線上より前記集塵室２０７の中心側に突出しないように配置する。この結果、吸口体１０６側を掃除機本体１０１側に接続して使用する場合において、前記集塵室２０７の入口開口部２５３ａから流入した塵埃を、前記フィルタ２０８にからむことなく前記掃除機本体１０１の集塵室１１１まで搬送する事ができる。
【００３５】
これらの弁体は、ゴムによるものや、プラスチィックによる板ばね等の、弾性体を用いればよい。なお、前記集塵室２０７は吸口体１０６から脱着可能に構成しており、前記集塵室２０７からフィルタ２０８を取り外して、前記集塵室２０７から塵埃を容易に捨てることができる。
【００３６】
また、この集塵室２０７は図４の（Ｃ）に示したような変形例が考えられる。入口開口部２５３ａの中心と、出口開口部２５３ｂの中心をずらしている例である。そして入口開口部２５３ａおよび２５３ｂ部にはそれぞれＲ１〜Ｒ４のように曲率部分を設けて空気の流れに対する抵抗および渦流の発生を防止した構造の例を示している。
（第４の実施形態）
次に、図７を用いて本発明の第４の実施形態ついて説明する。本実施形態では、図７に示すように、吸口体１０６側の電動送風機２２０の下流側に配置した排気口２５４付近に、開閉自在の排気弁２５５を設けている。本発明は上記構成のため、吸口体１０６側を掃除機本体１０１側から切り離して独立して使用した場合、吸口体１０６に設けた電動送風機２２０からの排気Ｅは、排気口２５４を通じて外部に排気される。
【００３７】
これに対し、吸口体１０６側を掃除機本体１０１側に接続して使用する場合は、前記掃除機本体１０１に設けた電動送風機１１２により、吸引される空気Ｆにより、排気弁２５５は完全に、またはほぼ閉じられる。
【００３８】
前記排気弁２５５を完全に閉じるように設ければ、前記掃除機本体１０１に設けた電動送風機１１２により、排気口２５４からの逆流空気Ｇによる吸口体１０６の吸い込み口からの空気Ｆの風量の低下を防ぐことができ、吸口体１０６内を高真空に保つことができるので、高集塵化が図れる。また、前記排気口２５４からの逆流により吸口体１０６に設けた電動送風機２２０の逆回転による電動機２０５の寿命の低下を防ぐことができる。
【００３９】
また、排気弁２５５をほぼ閉じて、少しの空気の流れＧのみを逆流させるようにすれば、上記の前記排気口２５４からの逆流により吸口体１０６に設けた電動送風機２２０の逆回転による電動機２０５の寿命の低下を防ぐことができる。さらに、フィルタ２０８に絡みついた塵埃を掃除機本体１０１に設けた集塵室１１１まで搬送することができ、フィルタ２０８のセルフリフレッシュが可能となる。すなわち、交流電源による電動送風機１１２を駆動して使用することによって、フィルタ２０８のリフレッシュができる。また、排気口２５４からの逆流による吸口体１０６の、吸い込み口の風量の低下を小さくし、吸口体１０６内を高真空に保つことができるので、高集塵化を図ることができる。
【００４０】
以上、述べたように、本発明によれば、空気がブラシ室から集塵室、フィルタ、空気通路の順に急転向して流れるのに対し、塵埃は空気より密度が大きく空気のように急転向できず、前記集塵室に流入した際の慣性力により、前記集塵室の反ブラシ室側から順に蓄積する。よって、塵埃が集塵室に蓄積していく際に、電動送風機に連通する空気通路は塵埃の目詰まりによる通風抵抗の増加が防げる。この結果、小形の集塵室でも効果的に塵埃を蓄積でき、かつ通風抵抗の増加を防げるので、集塵室に塵埃が溜まった状態でも電動送風機の風量が確保され、高集塵化を図ることができる。
【００４１】
また、掃除機本体側の電動送風機を使用することによって、吸口体側のフィルタのリフレッシュを行うことができる効果がある。
（第５の実施形態）
次に図８〜図１０を用いて本発明の第５の実施形態を説明する。図８は吸口体１０６の縦断面図であり、図９は集塵室２０７とフィルタ２０８の外観斜視図であり、図１０は集塵室２０７の縦断面図である。なお、本実施の形態では、吸口継手１０６ｂに二次電池１０７を設けている。
【００４２】
図８に示すように、吸口体１０６には集塵室２０７が着脱自在に設けられている。この集塵室２０７は吸口体１０６の上方（被掃除面と反対側）に向かって吸口体１０６から外れるように構成されている。
【００４３】
そして、集塵室２０７には、図９及び図１０に示すように、フィルタ２０８が設けられている。このフィルタ２０８は、塵埃を濾過するフィルタ部３０１と、フィルタ部３０１の外周を覆い、フィルタ２０８を集塵室２０７に装着した時に集塵室２０７との気密を保持するシール部材３０２とから構成されている。また、フィルタ部３０１は、山折り（波型）状に形成されており、集塵室２０７の外側から内側に向かって突出した山折り部３０１ａと、集塵室２０７の外側から内側に向かって凹んだ谷折り部３０１ｂを有している。本実施の形態では、山折り（波型）状のフィルタを設けることにより、フィルタの面積を大きくすることができ、短時間でフィルタが目詰まりするのを防止できる。
【００４４】
集塵室２０７は、入口開口部２５３ａと、この入口開口部２５３ａより上方側に位置した出口開口部２５３ｂとが形成されている。図５に示した床移動式の掃除機として使用した場合には、吸込んだ塵埃が、入口開口部２５３ａから入り、集塵室２０７内を通って出口開口部２５３ｂから出て掃除機本体１０１内の集塵室１１１に集塵される。入口開口部２５３ａには、集塵室２０７の流路上流側に位置して集塵室２０７内に設けられ、上端部が第１の固定手段３０３ａによって固定された集塵室２０７の内向きに開く第１の弁体２０９ａが設けられている。また、出口開口部２５３ｂには、集塵室２０７の流路下流側に位置して集塵室２０７外に設けられ、上端部が第２の固定手段３０３ｂによって固定された集塵室２０７の外向きに開く第２の弁体２０９ｂが設けられている。
【００４５】
第１の弁体２０９ａは、スティック型掃除機として使用した場合のような弱い吸込力でも集塵室２０７の内向きに容易に開くように、薄くしかも剛性が比較的弱いゴム等の部材で形成されている。さらに、第１の弁体２０９ａは、上端部側より下端部側が集塵室２０７内に位置するよう垂線に対して傾斜して配設されている。これは、第１の弁体２０９ａが長い間使用されることにより、集塵室２０７側に撓むような癖が付いた場合でも、自重により第１の弁体２０９ａの下端側が集塵室２０７の外側に戻され、当接部３０３ｃと接触して集塵室２０７内の塵埃がこぼれるのを防止するためである。
【００４６】
これに対し、第２の弁体２０９ｂは、スティック型掃除機として使用した場合のような弱い吸込力では容易に開かぬように、第１の弁体２０９ａよりも板厚が厚くしかも剛性も強いゴム等の部材で形成されている。なお、図１０には示されていないが、第１の弁体２０９ａと同様、第２の弁体２０９ｂも垂線に対して傾斜するように配置してもよい。この場合、上端部側より下端部側が集塵室２０７外に位置するよう垂線に対して傾斜して配設すると良い。
【００４７】
フィルタ２０８のフィルタ部３０１は、図１０に示すように山折り部３０１ａの折り線が、入口開口部２５３ａと出口開口部２５３ｂとを結ぶ流路方向と同方向になるように配設されている。これは、図５に示した床移動式の掃除機として使用した場合に、集塵室２０７内に集塵された塵埃も掃除機本体１０１側に導かれるが、同時にフィルタ２０８に付着した塵埃も除塵される。この時、山折り部３０１ａの折り線が、入口開口部２５３ａと出口開口部２５３ｂとを結ぶ流路方向と同方向になるように配設されているので、この折線に沿って風が流れ、フィルタ２０８に付着した塵埃もこの折り線に沿って出口開口部２５３ｂに導かれ、フィルタ２０８の除塵性能を向上することが出来る。
【００４８】
集塵室２０７内の流路方向と山折り部３０１ａの折り線方向とは、略平行となるように配設することが望ましいが、これに限定されるものではない。例えば、図１０に示すように、出口開口部２５３ｂが入口開口部２５３ａとより上方に位置するような場合がある。
【００４９】
ここで、入口開口部２５３ａの中心と出口開口部２５３ｂの中心とを中心線３０４で結ぶ。この中心線３０４は、入口開口部２５３ａから流入した空気がこの中心線３０４の方向に沿って出口開口部２５３ｂ側に流れることを意味するものである。そして、この中心線３０４と山折り部３０１ａの折り線とがなす角度をαとする。このαは０°、すなわち、平行であることが最も良い条件であるが、大きく流れが乱れない±４５°の範囲で任意に設定すれば良い。なお、本実施の形態では、山折り部３０１ａの折り線について説明したが、谷折り部３０１ｂの折り線についても同様であることは言うまでもない。また、山折り部３０１ａ及び谷折り部３０１ｂの折り線は必ず一直線でなければならないものではなく、多少のゆがみがあっても構わない。さらに、本実施の形態では、山折り部３０１ａ及び谷折り部３０１ｂの折り線方向を被掃除面に対して略平行方向に配置したが、これに限定されるものではなく、入口開口部２５３ａと出口開口部２５３ｂとの関係を考慮し、任意に設定すれば良い。
【００５０】
さらにまた、第４の実施形態で説明したように、床移動式の掃除機として使用した場合に、フィルタ２０８を空気が逆流するようにすると、さらにフィルタ２０８の除塵が効率良く行える。
【００５１】
本実施の形態では、集塵室２０７内における流路方向とフィルタ２０８の折り線とを同方向になるようにしたので、フィルタ２０８の除塵性能を向上することができる。
（第６の実施形態）
次に図８と図１１から図１４を用いて、本発明の第６の実施形態を説明する。図８は吸口体１０６の縦断面図であり、図１１は集塵室２０７の外観斜視図であり、図１２は集塵室２０７をフィルタ２０８側から見た側面図であり、図１３はフィルタ２０８の斜視図であり、図１４は、吸口体の上面図である。なお、本実施の形態では、吸口継手１０６ｂに二次電池１０７を設けている。
【００５２】
図８に示すように、吸口体１０６には集塵室２０７が着脱自在に設けられている。この集塵室２０７は吸口体１０６の上方（被掃除面と反対側）に向かって吸口体１０６から外れるように構成されている。
【００５３】
また、図１４に示すように、スティック型掃除機として使用した場合には、被掃除面に対面する開口部２２１から吸引した空気５０１は、集塵室２０７、電動機２２０を通じて外部に排気される空気５０１ａと、電動送風機２２０から流出した後、継手１０６ｂの下部の流路１０６ｃを通じて回路基板１１０ａと電動機２０２を冷却して、外部に排気される空気５０１ｂに分かれる。図５に示した床移動式の掃除機として使用した場合には、吸口体１０６外部から空気５０２ｂを流入させて回路基板１１０ａ及び電動機２０２を冷却し、この空気５０２ｂを継手１０６ｂ下方の流路１０６ｃを通して電動送風機室２２０ａに導き、電動送風機室２２０ａ外部から流入させた空気５０２ａと合流させてフィルタ２０８のリフレッシュを行うような流路構成としている。
【００５４】
上記構成とすることで、スティック型掃除機として使用した場合には、電動送風機２２０からの排気を空気５０１ａと５０２ｂに分散することで、排気流速を低減でき、床面のごみの舞い上げを防ぐことができる。また、吸口体１０６を小型化しつつ、回路基板１１０ａと電動機の冷却をすることができる。さらに、図５に示した床移動式の掃除機として使用した場合でも新たな冷却用のファンなどを設けずに、回路基板１１０ａと電動機２０２の冷却をすることができる。
【００５５】
集塵室２０７は、入口開口部２５３ａと、この入口開口部２５３ａより上方側に位置した出口開口部２５３ｂとが形成されている。図５に示した床移動式の掃除機として使用した場合には、吸込んだ塵埃が、入口開口部２５３ａから入り、集塵室２０７内を通って出口開口部２５３ｂから出て掃除機本体１０１内の集塵室１１１に集塵される。入口開口部２５３ａには、集塵室２０７の流路上流側に位置して集塵室２０７内に設けられ、上端部が第１の固定手段３０３ａによって固定された集塵室２０７の内向きに開く第１の弁体２０９ａが設けられている。
【００５６】
また、出口開口部２５３ｂには、集塵室２０７の流路下流側に位置して集塵室２０７外に設けられ、上端部が第２の固定手段３０３ｄによって固定された集塵室２０７の外向きに開く第２の弁体２０９ｂが設けられている。
【００５７】
第１の弁体２０９ａは、スティック型掃除機として使用した場合のような弱い吸込力でも集塵室２０７の内向きに容易に開くように、薄くしかも剛性が比較的弱いゴム等の部材で形成されている。さらに、第１の弁体２０９ａは、上端部側より下端部側が集塵室２０７内に位置するよう垂線に対して傾斜して配設されている。これは、第１の弁体２０９ａが長い間使用されることにより、集塵室２０７側に撓むような癖が付いた場合でも、自重により第１の弁体２０９ａの下端側が集塵室２０７の外側に戻され、当接部３０３ｃと接触して集塵室２０７内の塵埃がこぼれるのを防止するためである。
【００５８】
これに対し、第２の弁体２０９ｂは、スティック型掃除機として使用した場合のような弱い吸込力では容易に開かぬように、第１の弁体２０９ａよりも板厚が厚くしかも剛性も強いゴム等の部材で形成されている。さらに、第２の弁体２０９ｂは、上端部が第２の固定手段３０３ｄによって折り曲げられて固定されているので、第２の弁体２０９ｂは第１の弁体２０９ａよりも強い力で、当接部３０３ｅに押し付けられており、集塵室２０７から塵埃がこぼれるのを防ぐことができる。なお、図１０には示されていないが、第１の弁体２０９ａと同様、第２の弁体２０９ｂも垂線に対して傾斜するように配置してもよい。この場合、上端部側より下端部側が集塵室２０７外に位置するよう垂線に対して傾斜して配設すると良い。
【００５９】
ここで、集塵室２０７から塵埃がこぼれないように、第２の弁体２０９ｂの回動部面積は集塵室２０７の出口開口部２５３ｂの面積よりも大きくしておけばよい。さらに本実施の形態では、吸口体１０６の集塵室２０７の出口開口部２５３ｂと連通する流路開口部２１５は、第２の弁体２０９ｂの回動部面積よりも大きくしている。このため、図５に示した床移動式の掃除機として使用した場合に、掃除機本体１０１側の吸引力により、第２の弁体２０９ｂは回動することができるため、集塵室２０７に取り付けられた第１の弁体２０９ａも開くことができ、吸口体１０６の被掃除面に対面する開口部２２１から掃除機本体１１１までの流路ができる。よって、集塵室２０７の出口開口部２５３ｂから流出した塵埃を吸口体１０６の集塵室２０７の出口開口部２５３ｂと連通する流路開口部２１５を通じて、掃除機本体１０１側に搬送することができる。
【００６０】
また、集塵室２０７には図１１に示すように集塵室２０７の出口開口部２５３ｂ近傍に複数のリブ２６０ａから２６０ｄを設けており、集塵室２０７に塵埃がたまった場合でも、集塵室２０７の出口開口部２５３ｂ付近には、前記複数のリブ２６０ａから２６０ｄにより、空間を生じさせることができる。集塵室２０７内に集塵された綿ごみや、毛髪などの圧縮されやすい塵埃が、集塵室２０７の出口開口部２５３ｂ付近で圧縮され、大きな塊の塵埃となって出口開口部２５３ｂに絡みつく事を防げる。よって、スティック型の掃除機で使用し、吸口体１０６内の集塵室２０７に堆積した塵埃を、図５に示した床移動式の掃除機として使用した場合に、掃除機本体１０１側に導かれる時に、吸口体１０６内の集塵室２０７出口開口部２５３ｂから流出させることができ、掃除機本体内まで搬送することができる。なお、このリブ２６０ａから２６０ｄは、集塵室２０７出口開口部２５３ｂに向けてＲ形状をしていれば、このリブ２６０ａから２６０ｄに塵埃が引っかかり難くなる。
【００６１】
また、集塵室２０７には、図１３に示すように、フィルタ２０８が設けられている。このフィルタ２０８は、塵埃を濾過するフィルタ部３０１と、フィルタ部３０１の外周を覆い、さらにフィルタ２０８を集塵室２０７に装着した時に集塵室２０７との気密を保持するシール部材３０２と、フィルタ部３０１の山高さ方向の外周部を覆うように配置したフィルタ枠３０５から構成されている。また、フィルタ部３０１は、山折り（波型）状に形成されており、集塵室２０７の外側から内側に向かって突出した山折り部３０１ａと、集塵室２０７の外側から内側に向かって凹んだ谷折り部３０１ｂを有している。本実施の形態では、山折り（波型）状のフィルタを設けることにより、フィルタの面積を大きくすることができ、短時間でフィルタが目詰まりするのを防止できる。さらに、フィルタ枠３０５は、集塵室２０７の内面に略沿った形状とすることで、塵埃がフィルタ部３０１と集塵室２０７の内壁の間で絡みつくことを防ぐことができる。
【００６２】
このため、図５に示した床移動式の掃除機として使用した場合に、集塵室２０７内に集塵された塵埃も掃除機本体１０１側に導かれる時に、吸口体１０６内の電動送風機２２０側から流入する空気により、フィルタ２０８に付着した塵埃を取り除きやすいことを意味し、フィルタ２０８に付着した塵埃を除塵する除塵性能を向上することが出来る。
【００６３】
吸口体１０６内に配置した集塵室２０７に取り付けるフィルタ２０８は、フィルタ部３０１をゴムなどの柔らかいシール部材３０２に溶着または接着させて一体の部品に構成され、前記集塵室２０７と前記吸口体１０６と密接して配置し、気密を保つように構成されている。この際、フィルタ部３０１の山の形を維持するため、山の両脇はＡＢＳ等のプラスチィック素材に溶着または接着させ、このプラスチィック素材と、前記集塵室２０７と、前記吸口体１０６の気密をとるようなシール部材３０２と溶着または接着により一体に構成してもよい。さらに、集塵室２０７内にリブ２６１ａやリブ２６１ｂのように突起を設けて、フィルタ２０８を集塵室２０７取り付けたときの位置を決められるようにすると、さらに前記集塵室２０７と、前記吸口体１０６との気密を保てるように構成できる。
【００６４】
以上説明した本発明の各実施形態においては、掃除機本体１０１側の電動送風機１１２を交流電源で駆動するようにしたが、掃除機本体１０１内に充電式の二次電池を内蔵し、この二次電池を電源として直流電源で電動送風機１１２を駆動するようにしても良い。また、本発明の各実施形態においては、手元スイッチ１０４からの操作情報を無線信号発信部１０８から無線信号により掃除機本体１０１側の無線信号受信部１０９に送信するようにしているが、手元操作部１０３掃除機本体１０１とを接続するホース１０２内に信号線（電源線）を設けるようにして、手元操作部１０３と掃除機本体１０１とを電気的に接続するようにしても良い。
【００６５】
【発明の効果】
以上説明したように本発明によれば、吸口体内に配設された電動送風機と集塵室とを有し、前記集塵室と前記電動送風機の間に山折り状にしたフィルタを配設したので、フィルタの有効面積が増え、フィルタが短時間で目詰まりするのを防止できる。
【００６６】
また本発明によれば、集塵室内における流路方向とフィルタの折り線とを同方向になるようにしたので、フィルタの除塵性能を向上することができる。
【図面の簡単な説明】
【図１】本発明の一実施の形態例に係る吸口体の上面図である。
【図２】本発明の一実施の形態例に係る電気掃除機の外観図である。
【図３】本発明の一実施の形態例に係る吸口体の上面図である。
【図４】本発明の一実施の形態例に係る吸口体の上面図である。
【図５】本発明の一実施の形態例に係る電気掃除機の外観図である。
【図６】本発明の一実施の形態例に係る吸口体に備えた集塵室の図である。
【図７】本発明の一実施の形態例に係る吸口体の上面図である。
【図８】本発明の一実施の形態例に係る吸口体１０６の縦断面図である。
【図９】本発明の一実施の形態例に係る集塵室２０７とフィルタ２０８の外観斜視図である。
【図１０】本発明の一実施の形態例に係る集塵室２０７の縦断面図である。
【図１１】本発明の一実施の形態例に係る集塵室２０７の外観斜視図である。
【図１２】本発明の一実施の形態例に係る集塵室２０７をフィルタ２０８側から見た側面図である。
【図１３】本発明の一実施の形態例に係るフィルタ２０８の斜視図である。
【図１４】本発明の一実施の形態例に係る吸口体の上面図である。
【符号の説明】
１０１…掃除機本体、１０２…ホース体、１０３…ハンドル部、１０４…スイッチ、１０５…延長管、１０６…吸口体、１０７…充電池、２０２…電動機、２０６…送風機、２０７…集塵室、２０８…フィルタ、２６０ａ…リブ、２６０ｂ…リブ、２６０ｃ…リブ、２６０ｄ…リブ、３０１…フィルタ部、３０１ａ…山折り部、３０１ｂ…谷折り部、３０２…シール部材、３０５…フィルタ枠。